(57)【特許請求の範囲】
【請求項１】
送信データを複製する複製手段と、
複製後の信号を周波数軸方向および時間軸方向にマッピングするマッピング手段と、
マッピング後の信号を送信電力制御する送信電力制御手段と、
送信電力制御された信号をマルチキャリア方式で送信する送信手段と、を有し、
前記送信電力制御手段は、
前記マッピング後の信号に対し、各ビットまたは各シンボルに割り当てられる送信電力を一定に保ちつつ、各ビットまたは各シンボル内において最大比合成型の送信電力制御を行う、
マルチキャリア送信装置。
【請求項２】
サブキャリア毎の回線品質情報を取得する取得手段、をさらに有し、
前記送信電力制御手段は、
送信ビット数情報および総送信電力情報に基づいて、１ビットまたは１シンボル当たりの送信電力を算出する第１算出手段と、
前記マッピングの結果、取得されたサブキャリア毎の回線品質情報、および算出された１ビットまたは１シンボル当たりの送信電力に基づいて、各ビットまたは各シンボルに割り当てられる送信電力がすべてのビットまたはシンボルで同じになるように、かつ、各ビットまたは各シンボルを構成する信号のうち、回線品質の良いサブキャリアに割り当てられる信号は送信電力が大きく、回線品質の悪いサブキャリアに割り当てられる信号は送信電力が小さくなるように、各ビットまたは各シンボル内における送信電力を算出する第２算出手段と、
を有する請求項１記載のマルチキャリア送信装置。
【請求項３】
前記マッピング手段は、
複製後の信号を周波数軸方向および／または時間軸方向にインタリーブしながらマッピングを行う、
請求項１記載のマルチキャリア送信装置。
【請求項４】
前記マッピング手段は、
複製後の信号を隣り合う位置に配置しないようにマッピングを行う、
請求項１記載のマルチキャリア送信装置。
【請求項５】
前記マッピング手段は、
複製後の信号をマッピングする際に互いに離して配置し、離した部分には他のチャネルの信号を配置する、
請求項１記載のマルチキャリア送信装置。
【請求項６】
送信データを複製する複製ステップと、
複製後の信号を周波数軸方向および時間軸方向にマッピングするマッピングステップと、
マッピング後の信号を送信電力制御する送信電力制御ステップと、
送信電力制御された信号をマルチキャリア方式で送信する送信ステップと、を有し、
前記送信電力制御ステップにおいて、
前記マッピング後の信号に対し、各ビットまたは各シンボルに割り当てられる送信電力を一定に保ちつつ、各ビットまたは各シンボル内において最大比合成型の送信電力制御を行う、
マルチキャリア送信方法。
【発明の詳細な説明】
【技術分野】
【０００１】
本発明は、マルチキャリア送信装置およびマルチキャリア送信方法に関する。
【背景技術】
【０００２】
移動体通信において高速伝送を行う場合、マルチパスによる遅延波の影響が無視できなくなり、周波数選択性フェージングにより伝送特性が劣化する。そのため、今日、周波数選択性フェージング対策技術の一つとして、ＯＦＤＭ（Orthogonal Frequency Division Multiplexing）方式などのマルチキャリア方式が注目されている。マルチキャリア方式は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア方式の中で最も周波数利用効率が高い方式であり、また、比較的簡単なハードウエア構成で実現できることから、とりわけ注目されており、様々な検討が加えられている。
【０００３】
そのような検討の一例として、送信データを複製（以下「レピティション」という）してＯＦＤＭ方式で送信する技術が開発されている（非特許文献１）。
【０００４】
また、マルチキャリア方式において、サブキャリア全体の品質情報に応じて最大比合成型の送信電力制御を行う、つまり、回線品質レベルが低いサブキャリアほど送信電力を小さく、回線品質レベルが高いサブキャリアほど送信電力を高くする技術も開発されている（特許文献１、特許文献２）。
【０００５】
なお、以下、便宜上、ＯＦＤＭ方式（またはマルチキャリア方式）で送信することを「ＯＦＤＭ（またはマルチキャリア）送信」と、最大比合成型の送信電力制御を行って送信することを「最大比合成送信」とそれぞれ呼ぶことにする。
【非特許文献１】前田，新，岸山，佐和橋，”下りリンクブロードバンドチャネルにおけるＯＦＣＤＭとＯＦＤＭの特性比較，”信学技報ＲＣＳ２００２−１６２、２００２年８月
【特許文献１】特開２０００−３５８００８号公報
【特許文献２】特開平１１−３１７７２３号公報
【発明の開示】
【発明が解決しようとする課題】
【０００６】
しかしながら、上記２つの技術を単純に組み合わせると、つまり、送信データをレピティションしてＯＦＤＭ送信するシステムに、サブキャリア全体で最大比合成送信を行う技術を単純に適用すると、あるビットの電力が低すぎて正しく受信できず、パケットエラーが発生するおそれがある。
【０００７】
例えば、あるビットをレピティションした信号が、割り当てられた全サブキャリアにおいて送信電力が低く制御された場合、受信側ではそのビットを復調することができなくなる。これにより、そのビットを含むパケットは誤りとみなされ、パケット誤り率が劣化する。なお、具体例については、図面を用いて後で説明する。
【０００８】
本発明の目的は、送信データをレピティションしてマルチキャリア送信するシステムにおいて、パケット誤り率を改善することができるマルチキャリア送信装置およびマルチキャリア送信方法を提供することである。
【課題を解決するための手段】
【０００９】
本発明のマルチキャリア送信装置は、送信データを複製（レピティション）する複製手段と、複製後の信号を周波数軸方向および時間軸方向にマッピングするマッピング手段と、マッピング後の信号を送信電力制御する送信電力制御手段と、送信電力制御された信号をマルチキャリア方式で送信する送信手段と、を有し、前記送信電力制御手段は、前記マッピング後の信号に対し、各ビットまたは各シンボルに割り当てられる送信電力を一定に保ちつつ、各ビットまたは各シンボル内において最大比合成型の送信電力制御を行う、構成を採る。
【発明の効果】
【００１０】
本発明によれば、送信データをレピティションしてマルチキャリア送信するシステムにおいて、パケット誤り率を改善することができる。
【発明を実施するための最良の形態】
【００１１】
以下、本発明の実施の形態について、図面を参照して詳細に説明する。
【００１２】
図３は、本発明の一実施の形態に係るマルチキャリア送信装置の構成を示すブロック図である。
【００１３】
図３に示すマルチキャリア送信装置（以下単に「送信機」という）１００は、送信データをレピティションしてＯＦＤＭ送信するシステム（以下「レピティションＯＦＤＭ方式」という）であって、誤り訂正符号化部１０２、変調部１０４、レピティション部１０６、マッピング部１０８、送信電力制御部１１０、ＯＦＤＭ送信部１１２、送信ＲＦ（Radio Frequency）部１１４、送受信共用アンテナ１１６、受信ＲＦ部１１８、回線品質情報抽出部１２０、送信電力値算出部１２２、送信電力配分計算部１２４、および送信電力算出部１２６を有する。送信機１００は、例えば、マルチキャリア方式（本実施の形態ではＯＦＤＭ方式）の移動体通信システムにおける基地局装置に搭載されている。
【００１４】
誤り訂正符号化部１０２は、図示しないベースバンド部などから出力された送信データを所定の符号化率、例えば、Ｒ＝１／２で誤り訂正符号化し、誤り訂正符号化後の送信データを変調部１０４に出力する。
【００１５】
変調部１０４は、誤り訂正符号化部１０２から出力された送信データを、所定の変調方式を用いて変調することにより、送信シンボルを生成する。生成された送信シンボルは、レピティション部１０６に出力される。
【００１６】
レピティション部１０６は、変調部１０４から出力された送信シンボルを所定の複製数になるまで複製し、複製した送信シンボルをマッピング部１０８に出力する。なお、レピティション部１０６から出力される信号、つまり、レピティション後の信号を、以下、「レピティションビット」と呼ぶことにする。
【００１７】
マッピング部１０８は、レピティション部１０６から出力されたレピティションビットを所定のマッピング方法に従ってマッピングする。例えば、レピティションビットを、所定のパターンに基づいて、周波数軸方向および時間軸方向に二次元にマッピングする。このとき、レピティションビットは、周波数軸方向および／または時間軸方向にインタリーブされながらマッピングされる。マッピング後の送信データ（レピティションビット）は、送信電力制御部１１０に出力される。マッピング部１０８は、マッピング処理の結果を送信電力配分計算部１２４に出力する。なお、マッピング方法の具体例については、後で詳述する。
【００１８】
送信電力制御部１１０は、送信電力算出部１２６の算出結果に従ってレピティションビットの送信電力を制御する。なお、送信電力制御の具体的内容については、後で詳細に説明する。
【００１９】
ＯＦＤＭ送信部１１２は、送信電力制御された信号に対してＯＦＤＭ送信処理を行うことにより、レピティションされたＯＦＤＭ信号を生成する。具体的には、例えば、送信電力制御された信号を、逆高速フーリエ変換（ＩＦＦＴ：Inverse Fast Fourier Transform）した後、ＩＦＦＴ処理後の並列信号を直列信号にパラレル／シリアル変換し、得られた直列信号（ＯＦＤＭ信号）にガードインターバル（ＧＩ：Guard Interval）を挿入する。ＧＩ挿入後のＯＦＤＭ信号は、送信ＲＦ部１１４に出力される。
【００２０】
送信ＲＦ部１１４は、デジタル／アナログ変換器や低雑音アンプ、バンドパスフィルタなどを有し、ＯＦＤＭ送信部１１２から出力されたＯＦＤＭ信号に対してアップコンバートなどの所定の無線処理を施す。無線処理後のＯＦＤＭ信号は、アンテナ１１６から無線送信される。
【００２１】
なお、アンテナ１１６から無線送信された信号は、例えば、移動通信システムにおける移動局装置などの通信端末装置によって受信される。通信端末装置は、送信機１００から送信された信号の受信品質をサブキャリア毎に測定し、測定したサブキャリア毎の受信品質を回線品質情報として送信機１００に送信する。このとき、回線品質情報は、例えば、通信端末装置から送信機１００に送信される信号に含めて送信される。
【００２２】
受信ＲＦ部１１８は、アナログ／デジタル変換器や低雑音アンプ、バンドパスフィルタなどを有し、アンテナ１１６で受信した信号に対してダウンコンバートなどの所定の無線処理を施す。受信ＲＦ部１１８の出力信号（ベースバンド信号）は、回線品質情報抽出部１２０に出力される。
【００２３】
回線品質情報抽出部１２０は、受信ＲＦ部１１８の出力信号（ベースバンド信号）から回線品質情報（サブキャリア毎の受信品質）を抽出する。抽出された回線品質情報は、送信電力配分計算部１２４に出力される。
【００２４】
送信電力値算出部１２２は、１シンボル当たりの送信電力値を算出する。具体的には、
例えば、無線リソースの割り当てを行う上位レイヤから送信シンボル数の情報と総送信電力の情報を受け取り、この二つの情報（送信シンボル数情報と総送信電力情報）を用いて１シンボル当たりの送信電力値を算出する（１シンボル当たりの送信電力値＝総送信電力÷送信シンボル数）。算出された１シンボル当たりの送信電力値は、送信電力配分計算部１２４に出力される。
【００２５】
送信電力配分計算部１２４は、マッピング部１０８から出力されたマッピング処理の結果、回線品質情報抽出部１２０から出力された回線品質情報（サブキャリア毎の受信品質）、および送信電力値算出部１２２から出力された１シンボル当たりの送信電力値を用いて、１シンボル内における送信電力の配分を計算する。具体的には、例えば、受信側（通信端末装置）から通知されたサブキャリア毎の受信品質から、レピティションビット毎の受信品質を調べ、１ビットを構成するレピティションビットの送信電力の合計値がすべてのビットで同じになるように、かつ、受信品質の良いレピティションビットは送信電力が大きく、受信品質の悪いレピティションビットは送信電力が小さくなるように、１シンボル内における送信電力の配分を計算する。計算された１シンボル内の送信電力の配分は、送信電力算出部１２６に出力される。
【００２６】
送信電力算出部１２６は、送信電力配分計算部１２４から出力された１シンボル内の送信電力の配分に従って、１シンボル内の各レピティションビットの送信電力値を算出する。この算出結果は、送信電力制御部１１０に出力される。
【００２７】
次いで、上記構成を有する送信機１００の動作の要部について、図４〜図１０を用いて説明する。
【００２８】
ここで、図４（Ａ）には、誤り訂正符号化前の送信データを示し、図４（Ｂ）には、誤り訂正符号化後の送信データを示し、図４（Ｃ）には、レピティション後の信号（レピティションビット）を示し、図４（Ｄ）には、レピティションビットのマッピング結果を示す。図５は、マッピング方法の他の例を示す図、図６は、マッピング方法のさらに他の例を示す図である。図７Ａは、ある時間におけるサブキャリア毎の受信品質を示す図、図７Ｂは、他の時間におけるサブキャリア毎の受信品質を示す図である。図８Ａは、ある時間におけるレピティションビット毎の受信品質を示す図、図８Ｂは、他の時間におけるレピティションビット毎の受信品質を示す図である。図９は、本実施の形態におけるレピティションビットの送信電力を示す図、図１０は、本実施の形態におけるレピティションビットの受信電力を示す図である。なお、図１は、図９と比較するための図であって、従来技術を単純に組み合わせた場合におけるレピティションビットの送信電力を示す図、図２は、図１０と比較するための図であって、従来技術を単純に組み合わせた場合におけるレピティションビットの受信電力を示す図である。
【００２９】
送信機１００は、まず、誤り訂正符号化部１０２で、送信データを所定の符号化率で誤り訂正符号化する。例えば、図４（Ａ）に示す送信データを符号化率Ｒ＝１／２で誤り訂正符号化することにより、図４（Ｂ）に示す送信データが得られる。なお、図４（Ａ）では、簡略化のため、２ビットのみを示している。
【００３０】
そして、変調部１０４では、誤り訂正符号化部１０２から出力された送信データ（図４（Ｂ）参照）を、所定の変調方式を用いて変調することにより、送信シンボルを生成する。なお、変調部１０４で用いる変調方式は、特に限定されず、ＢＰＳＫ（Binary Phase Shift Keying）やＱＰＳＫ（QuadraturePhase Shift Keying）、１６ＱＡＭ（Quadrature Amplitude Modulation）、６４ＱＡＭ、２５６ＱＡＭなど、任意の変調方式を用いることができる。
【００３１】
そして、レピティション部１０６では、変調部１０４から出力された送信シンボルを所定の複製数になるまで複製する。例えば、図４（Ｂ）に示す４ビットの信号の各ビットをそれぞれ３回複製して、図４（Ｃ）に示す１６ビットの信号（レピティションビット）を得る。ここで、ａ１、ａ２、ａ３、ａ４は、ａとその複製であり、ｂ１、ｂ２、ｂ３、ｂ４は、ｂとその複製であり、ｃ１、ｃ２、ｃ３、ｃ４は、ｃとその複製であり、ｄ１、ｄ２、ｄ３、ｄ４は、ｄとその複製である。
【００３２】
そして、マッピング部１０８では、レピティション部１０６から出力されたレピティションビット（図４（Ｃ）参照）を所定のマッピング方法に従ってマッピングする。例えば、レピティションビットを、所定のパターンに基づいて、図４（Ｄ）に示すように、周波数軸方向および時間軸方向に二次元にマッピングする。ここでは、レピティションビットは、周波数軸方向と時間軸方向の両方向にインタリーブされながらマッピングされている。
【００３３】
マッピング部１０８で上記の二次元マッピングを行う際には、次のマッピング方法を採ることが好ましい。第１は、例えば、図５に示すように、レピティションされた信号を隣り合う位置に配置しないこと、第２は、例えば、図６に示すように、レピティションされた信号１３０をマッピングする際に互いに離して配置し、離した部分１３２には他のチャネルの信号を送信することである。
【００３４】
図５または図６に示すマッピング方法は、レピティションＯＦＤＭ方式と組み合わせて使用することにより、拡散を導入したＯＦＤＭ方式、つまり、ＣＤＭＡ（Code Division Multiple Access）方式とＯＦＤＭ方式を組み合わせた方式（ＭＣ（マルチキャリア）−ＣＤＭＡ方式ともＯＦＤＭ−ＣＤＭＡ方式とも呼ばれる）と組み合わせて使用する場合と比較して、次の効果が得られるため、性能が向上する。
【００３５】
拡散を導入したＯＦＤＭ方式では、拡散後の信号（チップデータ）を離れた位置に配置すると、性能が劣化してしまう。理由は、次の通りである。ＣＤＭＡ方式において信号をコード多重している場合には、拡散後の信号の受信電力のばらつきが大きくなると、コード間干渉が発生して受信ＳＩＲが劣化し、受信誤り率特性が大きく劣化する要因となる。この点、拡散を導入したＯＦＤＭ方式においてチップデータを離れた位置に配置すると、拡散後の信号（チップデータ）の受信電力のばらつきが大きくなってしまう。なぜなら、信号を離れた位置に配置するということは、周波数選択性フェージングの影響により、チップデータが配置された場所間で伝播環境の違いが大きくなり、受信電力の違いも大きくなるからである。したがって、拡散を導入したＯＦＤＭ方式においてチップデータを離れた位置に配置すると、コード間干渉が発生して受信ＳＩＲが劣化し、受信誤り率特性が大きく劣化する。
【００３６】
これに対し、レピティションＯＦＤＭ方式においては、上記のような性能の劣化は起こらない。理由は、次の通りである。レピティションＯＦＤＭ方式では、信号をコード多重していないため、レピティション後の信号の受信電力のばらつきが大きくなったとしてもコード間の干渉は発生しない。そのため、ＳＩＲの劣化が生じず、受信誤り率特性が劣化することはない。逆に、レピティションＯＦＤＭ方式では、レピティション後の信号の受信電力のばらつきが大きくなった方が、むしろ性能は向上する。なぜなら、受信側においてレピティション後の信号を最大比合成して受信することにより、ダイバーシチゲインを得ることができるためである。
【００３７】
そして、送信電力制御部１１０では、送信電力値算出部１２２、送信電力配分計算部１２４、および送信電力算出部１２６の処理結果に従って、レピティションビットの送信電力を制御する。具体的には、まず、送信電力値算出部１２２で、上位レイヤから送信シン
ボル数の情報と総送信電力の情報を受け取り、この二つの情報（送信シンボル数情報と総送信電力情報）を用いて１シンボル当たりの送信電力値を算出する（１シンボル当たりの送信電力値＝総送信電力÷送信シンボル数）。そして、送信電力配分計算部１２４で、マッピング部１０８から出力されたマッピング処理の結果（図４（Ｄ）参照）および受信側から通知されたサブキャリア毎の受信品質（図７Ａ、図７Ｂ参照）から、レピティションビット毎の受信品質（図８Ａ、図８Ｂ参照）を調べ、１ビットを構成するレピティションビットの送信電力の合計値がすべてのビットで同じになるように、かつ、受信品質の良いレピティションビットは送信電力が大きく、受信品質の悪いレピティションビットは送信電力が小さくなるように、１シンボル内における送信電力の配分を計算する（図９参照）。そして、送信電力算出部１２６で、その１シンボル内の送信電力の配分に従って、１シンボル内の各レピティションビットの送信電力値を算出する。
【００３８】
例えば、図４（Ｄ）に示すマッピング結果に対して、各時間におけるサブキャリア毎の受信品質が、それぞれ、図７Ａ、図７Ｂに示すようであるとすると、レピティションビット毎の受信品質は、それぞれ、図８Ａ、図８Ｂに示すようであると判定される。
【００３９】
このとき、本実施の形態では、あるビットを構成するレピティションビットの送信電力の合計値がすべてのビットで同じになるように制御される。具体的には、ａ１＋ａ２＋ａ３＋ａ４＝ｂ１＋ｂ２＋ｂ３＋ｂ４＝ｃ１＋ｃ２＋ｃ３＋ｃ４＝ｄ１＋ｄ２＋ｄ３＋ｄ４となるように制御される。すなわち、ビット単位で見れば、送信電力は一定値になるように制御される。
【００４０】
例えば、送信シンボル数を４、総送信電力を８０とし、まず、総送信電力（８０）を各送信シンボルに均等に配分すると、１シンボル当たりの送信電力値は２０となる。そして、さらに、各送信シンボル内において回線品質（受信品質）の比率に応じて１シンボル当たりの送信電力（２０）を配分する。図８Ａおよび図８Ｂから、ａ１、ａ２、ａ３、ａ４の受信品質の比率は、８：８：４：４であり、ｂ１、ｂ２、ｂ３、ｂ４の受信品質の比率は、２：２：１：１であり、ｃ１、ｃ２、ｃ３、ｃ４の受信品質の比率は、６：８：６：８であり、ｄ１、ｄ２、ｄ３、ｄ４の受信品質の比率は、３：８：３：８である。したがって、各送信シンボル内において１シンボル当たりの送信電力（２０）を受信品質の比率に応じて配分すると、図９に示すように、ａ１、ａ２、ａ３、ａ４の送信電力は、それぞれ、６.６、６.６、３.４、３.４となり、ｂ１、ｂ２、ｂ３、ｂ４の送信電力は、それぞれ、６.６、６.６、３.４、３.４となり、ｃ１、ｃ２、ｃ３、ｃ４の送信電力は、それぞれ、４.３、５.７、４.３、５.７となり、ｄ１、ｄ２、ｄ３、ｄ４の送信電力は、それぞれ、２.７、７.３、２.７、７.３となる。すなわち、本実施の形態では、各ビットに割り当てられる送信電力が同じになるように各ビット内で最大比合成送信を行う。このとき、フェージングによって送信電力の二乗が受信信号に現れるため、各レピティションビットの受信電力は、図１０に示すようになる。すなわち、すべてのビットで受信品質を満たすため、すべてのビットを正しく受信することができる。
【００４１】
このように、本実施の形態では、ビット単位で見れば、送信電力は一定値になるように制御されるため、特定のビットの送信電力が極端に低下してしまうということはない。これにより、パケット誤り率を改善することができる。
【００４２】
これに対し、送信データをレピティションしてＯＦＤＭ送信するシステムに、サブキャリア全体で最大比合成送信を行う技術を単純に適用する場合には、サブキャリア全体の受信品質に応じて最大比合成型の送信電力制御を行うため、上記のように、あるビットの電力が低すぎて正しく受信できず、パケットエラーが発生するおそれがある。
【００４３】
例えば、レピティションビット毎の受信品質が、それぞれ、図８Ａ、図８Ｂに示すよう
であるとした場合、総送信電力（８０）を回線品質（受信品質）の比率に応じて配分すると、図１に示すように、ａ１、ａ２、ａ３、ａ４、ｂ１、ｂ２、ｂ３、ｂ４、ｃ１、ｃ２、ｃ３、ｃ４、ｄ１、ｄ２、ｄ３、ｄ４の送信電力は、それぞれ、８、８、４、４、２、２、１、１、６、８、６、８、３、８、３、８となる。このとき、フェージングによって送信電力の二乗が受信信号に現れるため、各レピティションビットの受信電力は、図２に示すようになる。
【００４４】
すなわち、ビット「ｂ」を構成するレピティションビットｂ１〜ｂ４のサブキャリアは、受信品質が低いため（図８Ａ、図８Ｂ参照）、低い電力で送信されることになる（図１参照）。そのため、受信側では、レピティションビットｂ１〜ｂ４の受信電力が低くなり過ぎて（図２中の符号１４０で示す部分）、正しく受信できず、ビット「ｂ」を正しく復調することができなくなる。ビット「ｂ」を誤って復調すると、そのビットを含むパケットはエラーとして処理されるため、パケット全体が誤ったとして処理され、システムのスループットが大きく低下する。
【００４５】
このように、本実施の形態によれば、各ビットに割り当てられる送信電力を一定に保ちつつ、各ビット内で最大比合成送信を行うため、特定のビットに低い送信電力となるサブキャリアが集中するという状況を避けることができ、パケット誤り率を改善することができる。
【００４６】
なお、上記実施の形態では、本発明をハードウエアで構成する場合を例にとって説明したが、本発明はソフトウエアで実現することも可能である。
【００４７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００４８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００４９】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００５０】
本明細書は、２００４年７月６日出願の特願２００４−１９９３８０に基づくものである。この内容はすべてここに含めておく。
【産業上の利用可能性】
【００５１】
本発明に係るマルチキャリア送信装置およびマルチキャリア送信方法は、送信データをレピティションしてマルチキャリア送信するシステムにおいて、パケット誤り率を改善することができるという効果を有し、マルチキャリア方式の移動体通信システムにおける基地局装置等に用いるのに好適である。
【図面の簡単な説明】
【００５２】
【図１】従来技術を単純に組み合わせた場合におけるレピティションビットの送信電力を示す図
【図２】従来技術を単純に組み合わせた場合におけるレピティションビットの受信電力を示す図
【図３】本発明の一実施の形態に係るマルチキャリア送信装置の構成を示すブロック図
【図４】本実施の形態に係るマルチキャリア送信装置の動作説明図
【図５】マッピング方法の他の例を示す図
【図６】マッピング方法のさらに他の例を示す図
【図７Ａ】ある時間におけるサブキャリア毎の受信品質を示す図
【図７Ｂ】他の時間におけるサブキャリア毎の受信品質を示す図
【図８Ａ】ある時間におけるレピティションビット毎の受信品質を示す図
【図８Ｂ】他の時間におけるレピティションビット毎の受信品質を示す図
【図９】本実施の形態におけるレピティションビットの送信電力を示す図
【図１０】本実施の形態におけるレピティションビットの受信電力を示す図
【図１】
0004578474.tif 000002
【図２】
0004578474.tif 000003
【図３】
0004578474.tif 000004
【図４】
0004578474.tif 000005
【図５】
0004578474.tif 000006
【図６】
0004578474.tif 000007
【図７Ａ】
0004578474.tif 000008
【図７Ｂ】
0004578474.tif 000009
【図８Ａ】
0004578474.tif 000010
【図８Ｂ】
0004578474.tif 000011
【図９】
0004578474.tif 000012
【図１０】
0004578474.tif 000013